(57)【特許請求の範囲】
【請求項１】
供給された水を濾過して吐出する浄水器であって、
内部に濾過材を収容し前記供給された水を濾過するフィルタカートリッジが取付けられる本体部と、
前記本体部に形成されボタン電池を収容する電池室を構成する凹状の電池ホルダ部と、
前記電池室をバヨネット式で水密に覆う電池室カバーと、
前記電池室カバーの裏面に形成され前記ボタン電池が装着可能な円筒状の電池装着部と、を備え、
前記円筒状の電池装着部の径方向に対向する位置に、一対の切欠き部が形成され、
前記各切欠き部は、前記電池装着部の一部を円周方向に切り欠くことによって形成されており、前記電池装着部の６０〜９０度の中心角に対応する扇形の円弧部分に設けられ、前記ボタン電池の外周部の直径方向に対向する部分を、厚さ方向の全領域に亘って、前記各切欠き部から露出させるように構成されている、
浄水器。
【請求項２】
前記各切欠き部の径方向内方位置に凹所が形成されている、
請求項１に記載の浄水器。
【請求項３】
前記凹所が、前記ボタン電池の直径の１０％以上の深さを有している、
請求項２に記載の浄水器。
【請求項４】
前記電池室カバーの周囲に滑り止めが設けられている、
請求項１ないし３のいずれ１項に記載の浄水器。
【発明の詳細な説明】
【技術分野】
【０００１】
本発明は浄水器に関し、詳細には電源としてボタン電池を使用する浄水器に関する。
【背景技術】
【０００２】
中空糸膜等を用いた濾過材を使って水を濾過する浄水器が知られている。この種の浄水器では、一定量の水を濾過すると、濾過材を収容しているフィルタカートリッジを交換する必要があるため、濾過した水の量を計測する流量計を備えている。計測された流量は、制御装置の記憶部に積算して記憶され、積算値が所定値に達すると、フィルタカートリッジを新しいものに交換する必要がある旨の表示がなされる。
【０００３】
このような計測、記憶、表示等を行うための電源としてボタン電池を使用する浄水器が知られている（特許文献１）。この種の浄水器では、ボタン電池を電池カバーの裏面に設けられた筒状装着部に装着し、浄水器本体に設けられた凹状の電池室を覆うようにこの電池カバーを浄水器本体に取付けている。
【０００４】
【特許文献１】特許３３９９４７３号
【発明の開示】
【発明が解決しようとする課題】
【０００５】
この種の浄水器では、電池交換に際して電池カバーからボタン電池を取り出す時には、筒状装着部に設けられた切り欠き部から露出した電池の一部に指または爪をかけ、引っかくようにしてボタン電池を筒状装着部から取り外していた。
【０００６】
しかしながら、この取り外し方法では、電池に指等がうまく引っかからず円滑な取り外しが困難であるばかりか、外れたボタン電池を摘み損ない落としてしまうことがあるという問題があった。さらに、指で引っかく際に、ボタン電池等で爪を傷つけてしまう可能性があるという問題もあった。
【０００７】
本発明は、このような問題を解決するためになされたものであり、爪を傷つけることなくボタン電池を容易に取り外して交換することができる浄水器を提供することを目的としている。
【課題を解決するための手段】
【０００８】
本発明によれば、供給された水を濾過して吐出する浄水器であって、
内部に濾過材を収容し前記供給された水を濾過するフィルタカートリッジが取付けられる本体部と、
前記本体部に形成されボタン電池を収容する電池室を構成する凹状の電池ホルダ部と、
前記電池室をバヨネット式で水密に覆う電池室カバーと、
前記電池室カバーの裏面に形成され前記ボタン電池が装着可能な円筒状の電池装着部と、を備え、
前記円筒状の電池装着部の径方向に対向する位置に、一対の切欠き部が形成され、
前記各切欠き部は、前記電池装着部の一部を円周方向に切り欠くことによって形成されており、前記電池装着部の６０〜９０度の中心角に対応する扇形の円弧部分に設けられ、前記ボタン電池の外周部の直径方向に対向する部分を、厚さ方向の全領域に亘って、前記各切欠き部から露出させるように構成されている、
浄水器が提供される。
【０００９】
このような構成によれば、装着されたボタン電池を２本の指の腹で摘んで取り外すことができるので、爪を傷つけることなく容易に取り外すことができる。
また、電池室カバーの切り欠きには、本体側の陽極端子とを接触させるために、ボタン電池の外周部の陽極端子を露出させる役目もある。通常、バヨネットは、嵌合する突起とスライドが円筒の径方向に対向する２ヶ所に設けてあるが、切り欠きが１ヵ所だと本体側陽極端子と接触するための露出部が１ヵ所しかないため、バヨネット装着時の始点が１点しかない。切り欠きを相対する２ヶ所に設けることにより、バヨネット装着時の始点を径方向に対向する２点にすることができる。このため、電池室カバーの合いマーク等を確認しなくても容易にバヨネット装着することが可能となる。
【００１１】
本発明の他の好ましい態様によれば、前記各切欠き部の径方向内方位置に凹所が形成されている。
このような凹所が設けられていると、ボタン電池の切り欠き部近傍の凹所と重なった位置を押すことにより、凹所にボタン電池の一端側が入り込みボタン電池の他端側が浮き上がるので、ボタン電池の取り外しが容易になる。
【００１２】
本発明の他の好ましい態様によれば、前記凹所が、前記ボタン電池の直径の１０％以上の深さを有している。
【００１３】
本発明の他の好ましい態様によれば、前記電池室カバーの周囲に滑り止めが設けられている。
バヨネットは少ない回転角度で脱着可能な長所がある反面、蓋の浮きが小さいため蓋が摘まみにくい短所があったが、このような滑り止めによって、指先でも滑らず容易に取り扱いすることができる。
【発明の効果】
【００１４】
このような本発明によれば、爪を傷つけることなくボタン電池を容易に取り外して交換することができる浄水器が提供される。
【発明を実施するための最良の形態】
【００１５】
以下、添付図面を参照して本発明の好ましい実施形態の浄水器１の構成を説明する。図１は浄水器１の斜視図であり、図２は図１のII−II線に沿って一部分を破断した浄水器１の平面図であり、図３は浄水器１の底面図である。
【００１６】
浄水器１は、水道の蛇口等に接続される、いわゆる蛇口直結型の浄水器であり、図１ないし図３に示されているように、本体ケーシング２とフィルタカートリッジ４とを備えている。フィルタカートリッジ４は、本体ケーシング２に流入した水を濾過する中空糸膜フィルタ等の濾過材を収容しており、定期交換できるように本体ケーシング２に対し着脱可能に構成されている。
【００１７】
本体ケーシング２には、原水口６、切り換えレバー８、液晶表示部１０等が設けられている。原水口６は、環状の固定具１２を介して水道の蛇口に接続され、水道水を本体ケーシング２内に導入するための開口部である。
【００１８】
切り換えレバー８は、浄水器１からの吐出モードを、原水口６に流入した水道水をフィルタカートリッジ４内の濾過材で濾過して吐出させる「清水モード」と、原水口６に流入した水道水を濾過することなく直接、吐出させる「原水モード」と、原水をシャワー状に吐出させる「シャワーモード」との間で切り換えるための切り換え手段である。
【００１９】
液晶表示部１０は、フィルタカートリッジ４が濾過した水の量、濾過状態、バッテリの状態等に関する情報を表示する主表示部１０ａと、現在、選択されている吐出モード、例えば「清水モード」を、表示するモード表示部１０ｂとを備えている表示装置である。
主表示部１０ａは、さらに、適正な濾過が行われていることを示す清水サインを表示する清水サイン表示部１０ｃと、制御装置、バックライト等を作動させる電池の寿命を表示するバッテリ残量表示部１０ｄと、取付けられているフィルタカートリッジ４が今後、濾過可能な水量を示す濾過可能水量表示部１０ｅとを含んでいる。
【００２０】
図２に示されているように、本体ケーシング２内には、フィルタカートリッジ４が濾過する水の量を計量する流量計１４が設けられている。流量計１４は、フィルタカートリッジ４の下流側に配置され、フィルタカートリッジ４から流出する水、即ちフィルタカートリッジ４によって濾過された水（清水）の量（濾過水量）を計測するように構成されている。
【００２１】
流量計１４で計測された濾過水量の値は、本体ケーシング２に内蔵され浄水器１の作動を管理するマイコン等の制御装置（図示せず）に送られ、制御装置において、積算され記憶される。本実施形態の浄水器１では、流量計１４の計測結果に基づいて、使用中のフィルタカートリッジ４があと何リットルの水を濾過できるか、すなわち、取付けられているフィルタカートリッジ４の濾過可能水量の初期値から既に濾過した水量を減算した値が算出され、この値が主表示部１０ａの濾過可能水量表示部１０ｅに表示されるように構成されている。
【００２２】
図１および図３に示されているように、本体ケーシング２の下面には、「清水モード」が選択されたときにフィルタカートリッジ４内の濾過材で濾過された水道水すなわち清水が吐出される清水吐出口１６と、「原水モード」が選択されたときにフィルタカートリッジ４を経由しない水道水すなわち原水が直接、吐出される原水吐出口１８と、「シャワーモード」が選択されたときフィルタカートリッジ４を経由しない水道水すなわち原水が直接、シャワー状に吐出される原水シャワー口２０とが形成されている。
【００２３】
本体ケーシング２の下面には、さらに、制御装置に記憶されている濾過水量の積算値をリセットするためのリセットスイッチ２２が取付けられている。
本実施形態の浄水器１は、フィルタカートリッジ４を新しいフィルタカートリッジ４に交換したときに、ユーザがリセットスイッチ２２を操作して制御装置に記憶されている濾過水量の積算値をゼロにリセットし、新しいフィルタカートリッジ４が濾過する水量の積算を開始する。
【００２４】
浄水器１は、フィルタカートリッジ４から送られてくる情報に基づいて、新しいフィルタカートリッジ４がとりつけられたとき、取付けられたフィルタカートリッジ４が何リットルの水を濾過可能であるかを検出しておき（例えば１０００リットル）、この検出値からフィルタカートリッジ４の交換後に流量計１４が検出した水量の積算値（例えば２５０リットル）、すなわちフィルタカートリッジ４が濾過した水量の積算値を減じた値（例えば７５０リットル）を濾過可能水量表示部１０に表示する。
したがって、濾過可能水量表示部１０ｅの値が、ゼロに近づく或いはゼロになると、ユーザはフィルタカートリッジ４の交換が必要であることが分かる。
【００２５】
本実施形態の浄水器１では、濾過可能水量表示部１０ｅの値が、ゼロに近づく或いはゼロになると、通常は、黄緑色であった表示部のバックライトが赤色となり、さらに、清水サイン部１０ｃの清水サインが消え、ユーザにフィルタカートリッジ４の交換を促すように構成されている。
【００２６】
本実施形態の浄水器１では、制御装置、ＬＥＤ等を作動させる電池の寿命を表示するバッテリとしてボタン型電池Ｂが使用される。このボタン型電池Ｂは、本体ケーシング２の側部に設けられた電池室２４内に収容される。
【００２７】
図４に示されているように、電池室２４は、本体ケーシング２の側面に設けられた円柱状の凹状空間である電池ホルダ部２６と、該電池ホルダ部２６の開口を覆うようにバヨネット式に取付けられる電池室蓋（電池室カバー）２８とを備えている。本実施形態では、ボタン型電池Ｂは、電池室蓋２８の裏面に装着された状態で電池室２４内に収容される。
【００２８】
電池ホルダ部２６の内壁に陽極接点３０が設けられている。陽極接点３０は、ボタン型電池Ｂが電池室蓋２８に装着された状態で電池室２４に収容されたとき、ボタン型電池Ｂの外周面に形成されている陽極に接触するように構成されている。
【００２９】
又、電池ホルダ部２６の底部分には陰極接点３２が設けられている。陰極接点３２は、電池室蓋２８に装着された状態で電池室２４に収容されたとき、ボタン型電池Ｂの一方面に形成されている陰極に接触するように構成されている。陰極接点３２は、細長い板状の金属片を約９０度に折り曲げ、この折り曲げた角（頂角部分）が開口端方向に延びるように配置されている。
【００３０】
さらに、電池ホルダ部２６の内周面の円周方向に対向する位置は、電池室蓋２８がバヨネット式に固定される時に利用される一対の突起３４(図４では一方のみ図示)が形成されている。
【００３１】
図５は、電池室蓋２８の底面図である。図４および図５に示されているように、電池室蓋２８は、円盤状の蓋本体３６と、蓋本体３６の裏面に形成された略円筒状の電池装着部３８とを備えている。
蓋本体３６は、電池室蓋２８が電池ホルダ部２６に取付けられたとき電池ホルダ部２６の開口端を覆う寸法形状を有している。
電池装着部３８は、電池室蓋２８の裏面から上方に向かって延びる略円筒状の形状を有し、内側にボタン型電池Ｂを装着・保持し、さらに、外周面が電池ホルダ部２６の嵌合して電池室蓋２８を本体ケーシング２に固定するように構成されている。
【００３２】
電池装着部３６は、径方向に対向した位置に形成された一対の切欠き部４０を備えている。各切欠き部４０が、略円筒状の電池装着部３８の一部を円周方向に切り欠くことによって形成されており、中心角αが６０〜９０度の扇形の円弧部分として設けられている。本実施形態では、切欠き部４０は、図５に示されているように、中心角が約９０度の扇形の円弧部分とされている。
【００３３】
さらに、切欠き部４０は、電池室蓋２８が電池ホルダ部２６に取付けられたとき、電池ホルダ部２６内の内壁に設けられた陽極接点５６が切欠き部４０を通して、電池室蓋２８の電池装着部３８に装着されているボタン型電池Ｂの外周面に接触することができるように構成されている。
【００３４】
一対の切欠き部は、蓋の中心（重心）に対して点対称に配置されているのが好ましい。この構成により、他の配置と比較して、最も容易に蓋をはめ込むことが可能となる。
【００３５】
さらに、図６に示されているように、電池装着部３８の外周面には、電池室蓋２８を電池ホルダ部２６に取付ける際、電池ホルダ部２６の内周面に設けられた突起３４を収容して案内するガイド溝４２が形成されている。ガイド溝４２は、電池装着部３８の上端から軸線方向に延びる入口部分と、入り口部分の末端から傾斜しながら円周方向に延びる本体部分とを備えている。このガイド溝４２に電池ホルダ部２６の突起３４を入れて電池室蓋２８を、例えば図７に示されているように６０ないし９０度にわたって回転させることによって、電池室蓋２８が電池ホルダ部２６の開口部にねじ込まれ、電池室蓋２８がバヨネット式に開口部に取付けられ、本体ケーシング２に固定されることになる。
【００３６】
また、図６に示されているように、電池装着部３８の外周面の最下部には、Ｏリング４４が取付けられ、電池室蓋２８が電池ホルダ部２６に取付けられたとき、電池室２４を水密に閉鎖できるように構成されている。
【００３７】
また、円盤状の蓋本体３６の外周面には、図６に示されているように、周方向に延びる溝４６が、滑り止めとして形成されている。滑り止めとしては、周方向に延びる溝の他に、図８に示されているように、円盤状の蓋本体３６の外周面にセレーション４８を形成してもよい。さらに、図９に示されているように、円盤状の蓋本体３６の外周を先細り部５０として、滑り止めとしてもよい。
このほかの滑り止めとして、弾性体の嵌合や複数本の溝などが挙げられる。また、２色成形で、蓋本体を構成する樹脂と弾性体樹脂とを一体に成形し、滑り止めを構成してもよい。このような構成によれば、単なるはめ込みより強固に取付けられた滑り止めを構成することができる。
【００３８】
また、電池室蓋２８の裏面には、互いに直交して裏面を径方向に横断して延びるリブ５2が形成されている。各リブ５２の先端は、切欠き部４０の終端部の径方向内方に位置している。
さらに、電池装着部３８の上端部には、径方向内方に向かって突出する電池保持部５４が形成されている。本実施形態では、電池装着部３８の切欠き部４０に隣接した位置に、９０度おきに合計４つの電池保持部５４が設けられている。
【００３９】
図１０は、電池装着部３８にボタン型電池Ｂが装着された電池室蓋２８の一部分を破断した側面図である。図１０に示されているように、本実施形態では、ボタン電池Ｂは、径方向内方に向かって突出する電池保持部５４によって、電池室蓋２８の電池装着部３８に装着される。このときボタン型電池Ｂの外周部の一部が、電池装着部３８の切欠き部４０を通して露出することになる。
【００４０】
また、電池室蓋２８の各切欠き部４０の径方向内方位置に凹所５６が形成されている。また凹所５６は、ボタン型電池Ｂの直径の１０％以上の深さを有している。凹所５６の深さは、電池室蓋２８に取付けられたボタン型電池Ｂの奥側面（図１０における上面）から測定されたものである。
【００４１】
図１０に示されている状態で、電池室蓋２８を、電池ホルダ部２６にバヨネットで嵌合・固定することにより、ボタン型電池Ｂは電池室２４内の所定位置に装着され浄水器１と電気的に接続されるとともに、電池室２４が水密状態で閉鎖される。
【００４２】
このとき、図１０に示されているように、電池ホルダ部２６の底部分に設けられている陰極接点３２は、ボタン型電池Ｂによって押圧される。この陰極接点３２は、金属片を折り曲げることによって形成されているので、繰り返し強い力が加えられるとへたってしまい、ボタン型電池Ｂと接触しなくなるおそれがある。このため、電池ホルダ部２６の底部分の陰極接点３２の裏側位置に突起Ｐを設け、ボタン型電池Ｂで強く押されても陰極接点３２がつぶれにくくなる構成とするのが好ましい。
【００４３】
なお、円盤状の蓋本体３６の頂面には、内方に向かって半円状の延びる溝Ｇが形成されている。この溝Ｇは、電池室２４の開閉時に電池室蓋２８を回す際にコインを差し込み、電池室蓋２８の回転を回すためのものである。
【００４４】
ボタン型電池Ｂを本実施形態の浄水器１の電池室蓋２８に取付ける際には、図１１に示されているように、ボタン型電池Ｂの径方向両端を２本の指ではさみ、２本の指のそれぞれを電池装着部３８の各切欠き部４０の径方向外方に位置するように配置して、図１１に矢印ａで示す方向にボタン型電池Ｂを電池装着部３８に押し込み、ボタン型電池Ｂの外周部を電池装着部３８の電池保持部５４に支持させることによって、ボタン型電池Ｂを電池室蓋２８に装着・固定する。
【００４５】
一方、ボタン型電池Ｂを浄水器１の電池室蓋２８から取り外す際には、上記取付け方法とは逆に、電池装着部３８の各切欠き部４０から露出しているボタン型電池Ｂの外周部を２本の指で摘み、図１１に矢印ｂで示す方向に引き出すことによって、ボタン型電池Ｂを電池装着部３８から取り外す。
【００４６】
また、他の取り外し方法として、図１２に示されるように、電池室蓋２８の凹部５４と重なっているボタン型電池Ｂの部分を矢印ｃ方向に凹部５４内に押し込むことによって、径方向に対向する部分を矢印ｄ方向に浮き上がらせ、この浮き上がった部分を指で摘む方法もある。
【００４７】
電池室蓋２８を電池ホルダ部２６に取付けて電池室２４を閉鎖する際には、図１３に示されているように、電池室蓋２８のガイド溝４２の上端が、電池ホルダ部２６の内周面に形成された突起３４と整列する（図１３ａ）電池室蓋挿入位置に配置される。電池室蓋２８の頂面に形成された溝Ｇは、電池室蓋を挿入可能な回転位置である電池室蓋挿入位置を示すマークとしても利用される。このとき電池室蓋２８の頂面は、電池ホルダ部２６周囲の本体ケーシング２の表面から浮き上がった状態である（図１３ａ）。
【００４８】
次いで、図１３（ｂ）矢印で示すように電池室蓋２８を所定角度（６０乃至９０°程度）回転させ（図１３ｂ）、突起３４に沿ってガイド溝４２を動かし、電池室蓋２８を電池ホルダ部２６に嵌合させていく。所定角度、回転すると、電池ホルダ２６の外壁に電池室蓋２８に設けられたパッキンＰが接触し（図１４（ａ））、電池室２４の密閉が開始される。
【００４９】
この状態から、電池室蓋２８を、さらに１０乃至２０°回転させると（図１４（ｂ））、突起３４がガイド溝４２の末端に達し、電池室２４の密閉が完了する（図１５）。この状態では、図１５（ａ）に示されているように、電池室蓋２８の頂面は、本体ケーシング２の表面と面一状態となる。密閉が開始されると操作トルクが上昇するので、密閉開始から密閉完了するまでの回転角度は短いほうが好ましく、本実施形態では、１０〜２０°に設定されている。
【００５０】
一方、電池室蓋２８を電池ホルダ部２６から取り外す際には、電池室蓋２８を閉鎖時とは逆方向に回転させる。本実施形態では、ガイド溝４２の開口端４２ａに、電池ホルダ部２６の突起３４が当たって電池室蓋２８の回転が止まるように、ガイド溝４２の方向を変更することによって終点部４２ｂが設けられている（図１６）。
【００５１】
このような構成では、図１７（ａ）、（ｂ）、（ｃ）に示されているように、電池室蓋２８の取り外し時には、電池室蓋２８の回転に伴って、突起３４がガイド溝４２内を進み最終的にはガイド溝４２の開口端を構成する壁である終点部４２ｂに当接し、回転が止まる。電池室蓋２８を取り外すためには、電池室蓋２８を回転方向とは異なる方向（図１７（ｃ）に矢印で示す方向）に動かす必要がある。このため電池ホルダ部２６の開口方向が横向きの場合は、この構成は電池室蓋の落下を防止できるので好ましい。
【００５２】
一方、電池ホルダ部２６の開口方向が上向きの場合には、ガイド溝４２’の開口端に終点部を設けない構成とし（図１８（ａ）、（ｂ））、電池室蓋を反時計回りに回転させたとき、回転の最終段階（図１８（ｃ））で、突起３４がガイド溝４２から回転方向に抜け出ることによって、電池室蓋２５が、所定高さｈ（例えば２ｍｍ程度）、本体ケーシング２の表面から浮き上がるようにしてもよい（図１９）。この浮き高さが２ｍｍ程度であれば指の肉が入り込み、つまみやすくすることができる。浮き高さを調節する方法としてはガイド溝４２’の角度を大きくすることや、電池室蓋周辺部の厚みを薄くすること等がある。
【００５３】
本発明は、上記実施形態に限定されることなく、特許請求の範囲に記載された技術的思想の範囲内で種々の変更、変形が可能である。
【図面の簡単な説明】
【００５４】
【図１】本発明の好ましい実施形態の浄水器の斜視図である。
【図２】図１の浄水器のII−II線に沿った水平方向の横断面図である。
【図３】図３は浄水器１の底面図である。
【図４】図１の浄水器の電池収容部の構成を示す斜視図である。
【図５】図１の浄水器の電池室蓋の裏面の平面図である。
【図６】図１の浄水器の電池室蓋の側面図である。
【図７】図１の浄水器の電池室蓋のバヨネットスライド角を示す説明図である。
【図８】電池室蓋の変形例の側面図である。
【図９】電池室蓋の他の変形例の側面図である。
【図１０】電池装着部にボタン型電池が装着された電池室蓋の一部分を破断した側面図である。
【図１１】ボタン型電池の電池室蓋への着脱方法を示す説明図である。
【図１２】ボタン型電池の電池室蓋への他の着脱方法を示す説明図である。
【図１３】電池室蓋で電池室を閉鎖する動作を説明する図面である。
【図１４】電池室蓋で電池室を閉鎖する動作を説明する図面である。
【図１５】電池室蓋で電池室を閉鎖する動作を説明する図面である。
【図１６】電池室蓋のガイド溝の構造を説明する側面図である。
【図１７】図１６の電池室蓋のガイド溝と突起の関係を模式的に示す図面である。
【図１８】他の構成のガイド溝と突起の関係を模式的に示す図面である。
【図１９】電池室蓋の浮き高さを説明するための図面である。
【符号の説明】
【００５５】
１：浄水器
２：本体ケーシング
４：フィルタカートリッジ
６：原水口
８：切り換えレバー
１０：液晶表示部
２２：リセットスイッチ
２４：電池室
２６：電池ホルダ部
２８：電池室蓋
３８：電池装着部
４０：切欠き部
Ｂ：ボタン型電池
【図１】
0005034908.tif 000002
【図２】
0005034908.tif 000003
【図３】
0005034908.tif 000004
【図４】
0005034908.tif 000005
【図５】
0005034908.tif 000006
【図６】
0005034908.tif 000007
【図７】
0005034908.tif 000008
【図８】
0005034908.tif 000009
【図９】
0005034908.tif 000010
【図１０】
0005034908.tif 000011
【図１１】
0005034908.tif 000012
【図１２】
0005034908.tif 000013
【図１３】
0005034908.tif 000014
【図１４】
0005034908.tif 000015
【図１５】
0005034908.tif 000016
【図１６】
0005034908.tif 000017
【図１７】
0005034908.tif 000018
【図１８】
0005034908.tif 000019
【図１９】
0005034908.tif 000020